【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
データセットと、少なくとも第２データストレージシステムに対するリファラルを含む第１リファラル応答、あるいは、前記データセット中の少なくとも第１サブセット並びに前記少なくとも第２ストレージシステムに対するリファラルを含む前記第１リファラル応答の少なくともいずれかとのアドレス指定を実行するためのコマンドを第１データストレージシステムに送る工程と、
前記少なくとも第２データストレージシステムに対するリファラルを含む前記第１リファラル応答、あるいは、前記データセット中の前記少なくとも第１サブセット並びに前記少なくとも第２ストレージシステムに対するリファラルを含む前記第１リファラル応答の少なくともいずれかにアクセスする工程と、
前記データセットと、前記第１データストレージシステムと第３データストレージシステムの少なくともいずれか一つに対するリファラルを含む第２リファラル応答とのアドレス指定を実行するためのコマンドを、前記データセット中の少なくとも第２サブセットを有する前記第２データストレージシステムに送る工程と、
前記データセット中の前記第２サブセットと、前記第１データストレージシステムと前記第３データストレージシステムの少なくともいずれか一つに対する前記リファラルを含む前記第２リファラル応答とにアクセスする工程と、を備える方法であって、
前記第１データストレージシステムに対する前記リファラルが、
前記第１データストレージシステムのポートに関連する第１ポート識別子と、
前記データセット中の前記第１サブセットの第１データオフセットと、
前記第１データストレージシステムの第１データ長と、を備え、
前記第２データストレージシステムに対する前記リファラルが、
前記第２データストレージシステムのポートに関連する第２ポート識別子と、
前記データセット中の前記第２サブセットの第２データオフセットと、
前記第２データストレージシステムの第２データ長と、を備え、
前記第３データストレージシステムに対する前記リファラルが、
前記第３データストレージシステムのポートに関連する第３ポート識別子と、
前記データセット中の前記第３サブセットの第３データオフセットと、
前記第３データストレージシステムの第３データ長と、を備え、
前記第１データストレージシステムの前記第１データ長が、前記データセット中の前記第１サブセットのデータ長と、前記第１データストレージシステムに対するすべての派生リファラル応答に含まれるすべての派生データストレージシステム上に存在する前記データセット中のすべてのサブセットのデータ長との合計であり、
前記第２データストレージシステムの前記第２データ長が、前記データセット中の前記第２サブセットのデータ長と、前記第２データストレージシステムに対するすべての派生リファラル応答に含まれるすべての派生データストレージシステム上に存在する前記データセット中のすべてのサブセットのデータ長との合計であり、
前記第３データストレージシステムの前記第３データ長が、前記データセット中の前記第３サブセットのデータ長と、前記第３データストレージシステムに対するすべての派生リファラル応答に含まれるすべての派生データストレージシステム上に存在する前記データセット中のすべてのサブセットのデータ長との合計である
方法。
【請求項２】
請求項１記載の方法であって、
前記第１データストレージシステムにコマンドを送る工程が、小型コンピューター用周辺機器インターフェース（ＳＣＳＩ）入出力（Ｉ／Ｏ）要求コマンドを介して、前記第１データストレージシステムにコマンドを送る工程を備え、前記第１データストレージシステムがＳＣＳＩストレージシステムであり、かつ、前記第２データストレージシステムがＳＣＳＩストレージシステムであり、
前記第２データストレージシステムにコマンドを送る工程が、ＳＣＳＩ  Ｉ／Ｏ要求コマンドを介して、前記第２データストレージシステムにコマンドを送る工程を備え、前記第２データストレージシステムがＳＣＳＩストレージシステムであり、かつ、前記第３データストレージシステムがＳＣＳＩストレージシステムである
方法。
【請求項３】
請求項１記載の方法であって、
前記第１データストレージシステムに対する前記リファラルが、前記第１データストレージシステムに対するアクセスを可能にするための前記第１データストレージシステムのポートを識別する第１ポート識別子を備え、
前記第２データストレージシステムに対する前記リファラルが、前記第２データストレージシステムに対するアクセスを可能にするための前記第２データストレージシステムのポートを識別する第２ポート識別子を備え、
前記第３データストレージシステムに対する前記リファラルが、前記第３データストレージシステムに対するアクセスを可能にするための前記第３データストレージシステムのポートを識別する第３ポート識別子を備える
方法。
【請求項４】
データセットと、少なくとも第２データストレージシステムに対するリファラルを含む第１リファラル応答、あるいは、前記データセット中の少なくとも第１サブセット並びに前記少なくとも第２ストレージシステムに対するリファラルを含む前記第１リファラル応答の少なくともいずれかとのアドレス指定を実行するためのコマンドを第１データストレージシステムに送る工程と、
前記少なくとも第２データストレージシステムに対するリファラルを含む前記第１リファラル応答、あるいは、前記データセット中の前記少なくとも第１サブセット並びに前記少なくとも第２ストレージシステムに対するリファラルを含む前記第１リファラル応答の少なくともいずれかにアクセスする工程と、
前記データセットと、前記第１データストレージシステムと第３データストレージシステムの少なくともいずれか一つに対するリファラルを含む第２リファラル応答とのアドレス指定を実行するためのコマンドを、前記データセット中の少なくとも第２サブセットを有する前記第２データストレージシステムに送る工程と、
前記データセット中の前記第２サブセットと、前記第１データストレージシステムと前記第３データストレージシステムの少なくともいずれか一つに対する前記リファラルを含む前記第２リファラル応答とにアクセスする工程と、を備える方法であって、
前記少なくとも第２データストレージシステムに対するリファラルを含む前記第１リファラル応答、あるいは、前記データセット中の前記少なくとも第１サブセット並びに前記少なくとも第２ストレージシステムに対するリファラルを含む前記第１リファラル応答の少なくともいずれかにアクセスする工程が、
前記第１データストレージシステムのステータスと、前記少なくとも第２ストレージシステムに対するリファラルを含む前記第１リファラル応答とを受信する工程を備え、
前記データセット中の前記第２サブセットにアクセスする工程が、
前記第２データストレージシステムのステータスと、前記第１データストレージシステムと前記第３データストレージシステムの少なくともいずれか一つに対する前記リファラルを含む前記第２リファラル応答とを受信する工程を備え、
前記第１ストレージシステムのステータスを転送する前記第１データストレージシステムを介して、前記データセット中の前記第１サブセットへのアクセスが実行され、
前記第２ストレージシステムのステータスを転送する前記第２データストレージシステムを介して、前記データセット中の前記第２サブセットへのアクセスが実行される
方法。
【請求項５】
第１リファラル応答を生成する、あるいは、データセット中の第１サブセットを格納して、第１リファラル応答を生成する、の少なくともいずれかを実行する第１データストレージシステムと、
前記データセット中の第２サブセットを格納し、第２リファラル応答を生成する、第２データストレージシステムと、を備えるストレージスラスターであって、
前記第１リファラル応答が、前記第２データストレージシステムに対するリファラルを含み、前記第２リファラル応答が、前記第１データストレージシステムと第３データストレージシステムの少なくともいずれか一つに対するリファラルを含み、
前記第１データストレージシステムに対する前記リファラルが、
前記第１データストレージシステムのポートに関連する第１ポート識別子と、
前記データセット中の前記第１サブセットの第１データオフセットと、
前記第１データストレージシステムの第１データ長と、を備え、
前記第２データストレージシステムに対する前記リファラルが、
前記第２データストレージシステムのポートに関連する第２ポート識別子と、
前記データセット中の前記第２サブセットの第２データオフセットと、
前記第２データストレージシステムの第２データ長と、を備え、
前記第３データストレージシステムに対する前記リファラルが、
前記第３データストレージシステムのポートに関連する第３ポート識別子と、
前記データセット中の前記第３サブセットの第３データオフセットと、
前記第３データストレージシステムの第３データ長と、を備え、
前記第１データストレージシステムの前記第１データ長が、前記データセット中の前記第１サブセットのデータ長と、前記第１データストレージシステムに対するすべての派生リファラル応答に含まれるすべての派生データストレージシステム上に存在する前記データセット中のすべてのサブセットのデータ長との合計であり、
前記第２データストレージシステムの前記第２データ長が、前記データセット中の前記第２サブセットのデータ長と、前記第２データストレージシステムに対するすべての派生リファラル応答に含まれるすべての派生データストレージシステム上に存在する前記データセット中のすべてのサブセットのデータ長との合計であり、
前記第３データストレージシステムの前記第３データ長が、前記データセット中の前記第３サブセットのデータ長と、前記第３データストレージシステムに対するすべての派生リファラル応答に含まれるすべての派生データストレージシステム上に存在する前記データセット中のすべてのサブセットのデータ長との合計である
ストレージクラスター。
【請求項６】
請求項５記載のストレージクラスターであって、
前記第１データストレージシステムがＳＣＳＩストレージシステムであり、前記第２データストレージシステムがＳＣＳＩストレージシステムであり、さらに、前記第３データストレージシステムがＳＣＳＩストレージシステムである、
ストレージクラスター。
【請求項７】
請求項５記載のストレージクラスターであって、
前記第１データストレージシステムに対する前記リファラルが、前記第１データストレージシステムに対するアクセスを可能にするための前記第１データストレージシステムのポートを識別する第１ポート識別子を備え、
前記第２データストレージシステムに対する前記リファラルが、前記第２データストレージシステムに対するアクセスを可能にするための前記第２データストレージシステムのポートを識別する第２ポート識別子を備え、
前記第３データストレージシステムに対する前記リファラルが、前記第３データストレージシステムに対するアクセスを可能にするための前記第３データストレージシステムのポートを識別する第３ポート識別子を備える
ストレージクラスター。